(57)【要約】      （修正有）【課題】多種多様な種類の接着剤の中から、所望の接着素材及び被接着素材に適した接着適性・特性を有する接着剤の商品情報を販売店内で簡易且つ容易に提供すると共に、一般需要者が間違いなく適切な接着剤を選択し購入できるようにするための通信ネットワークを介した接着剤種別選定システムを提供する。【解決手段】接着剤種別データ並びに接着剤選定処理手段を備えるサーバと該サーバに通信ネットワークを介して接続可能な携帯端末と該接着剤種別データに対応する接着剤パッケージ群が陳列されている商品陳列棚とからなり、前記サーバは前記携帯端末からの接着素材及び被接着素材の指定に基づいて前記接着剤種別データから適切な種別の接着剤の商品情報を選定して該携帯端末の画面上に表示することにより、前記商品陳列棚に陳列されている接着剤パッケージ群から接着素材及び被接着素材に適した接着適性を有する接着剤の商品情報を携帯端末に提供する。【選択図】図１
2007052745.tif 000002
【特許請求の範囲】
【請求項１】
少なくとも接着素材及び被接着素材に応じた接着適性を各種接着剤の商品情報として有する接着剤種別データ並びに該接着剤種別データから接着素材及び被接着素材に適した接着剤の商品情報を選定する接着剤選定処理手段を備えるサーバと、該サーバに対して通信ネットワークを介して接続し、所望の接着素材及び被接着素材を指定可能な携帯端末と、該接着剤種別データに対応する接着剤パッケージ群が陳列されている商品陳列棚とからなり、前記サーバは、前記携帯端末からの接着素材及び被接着素材の指定に基づいて、前記接着剤種別データから適切な種別の接着剤の商品情報を選定し、該携帯端末の画面上に表示することにより、前記商品陳列棚に陳列されている接着剤パッケージ群から接着素材及び被接着素材に適した接着適性を有する接着剤の商品情報を携帯端末に提供するようにしたことを特徴とする通信ネットワークを介した接着剤種別選定システム。
【請求項２】
前記商品陳列棚には、前記携帯端末からの前記サーバへの接続を容易にするための２次元コードを付記してなることを特徴とする通信ネットワークを介した接着剤種別選定システム。
【請求項３】
前記各種の接着素材及び被接着素材としては夫々、紙、布、皮革、ゴム、木材、軟質塩化ビニール、発泡スチロール、ガラス、陶磁器、タイル、石材、コンクリート及び／又は金属であることを特徴とする通信ネットワークを介した接着剤種別選定システム。
【発明の詳細な説明】
【技術分野】
【０００１】
本発明は、多種多様な種類の接着剤の中から、接着素材及び被接着素材に適した接着適性・特性を有する接着剤の商品情報を通信ネットワークを介して提供するための接着剤種別選定システムに関する。
【背景技術】
【０００２】
一般に、接着剤はその接着素材及び被接着素材に応じた接着適性・特性・用途・材料・組成等により区別され、多種多様な接着剤（例えば、木工用接着剤、金属用接着剤、皮革用接着剤、プラスチック用接着剤、速乾性瞬間接着剤、粘性接着剤、弾性接着剤、シーリング剤、等々）が文具店等の販売店において商品陳列棚に接着剤パッケージを陳列して、展示販売されている。
【０００３】
一方、接着剤の研究開発は日進月歩しており、新たな優れた接着剤が日々登場し、近年益々、その種類は増加し細分化される傾向にある。このことは接着剤の技術的進歩・性能向上という面では好ましいものであるが、一般需要者からみた場合、多種多様で数多の接着剤の中から所望の接着素材及び被接着素材に最も適した具体的な接着剤を選び出さねばならず、一般需要者が店頭で具体的な接着剤パッケージを選択し購入する際に迷うことが多くなっている。通常、一般需要者に接着剤の予備知識は皆無であることが多いから尚更である。
【０００４】
このような場合、一般需要者はその販売店の店員等に接着剤につき尋ねることとなるが、文具店の店員等の一般取引者にしても接着剤に精通していることは少ないから即答に窮することとなり、結局、専門家である接着剤の製造メーカー側からみると、必ずしも接着素材及び被接着素材に最適な接着剤が一般需要者に選択購入されず、製造者が意図した用途に使用されていない場合も多く、そのことが原因で製造者に苦情が寄せられたり、問い合わせを増大させたりしている。
【発明の開示】
【発明が解決しようとする課題】
【０００５】
本発明は、上記問題点に鑑みてなされたものであり、多種多様な種類の接着剤の中から、所望の接着素材及び被接着素材に適した接着適性・特性を有する接着剤の商品情報を販売店内で簡易且つ容易に提供すると共に、一般需要者が間違いなく適切な接着剤を選択し購入できるようにするための通信ネットワークを介した接着剤種別選定システムを提供することを目的とする。
【課題を解決するための手段】
【０００６】
上記課題を解決するために、本発明の通信ネットワークを介した接着剤種別選定システムは、少なくとも各種の接着素材及び被接着素材に対する接着適性・特性を各種の接着剤の商品情報として有する接着剤種別データ並びに該接着剤種別データから接着素材及び被接着素材に応じて接着剤の商品情報を選定する接着剤選定処理手段を備えるサーバと、該サーバに対して通信ネットワークを介して接続し、所望の接着素材及び被接着素材を指定可能な携帯端末と、該接着剤種別データに対応する接着剤パッケージ群が陳列されている商品陳列棚とからなり、前記サーバは、前記携帯端末からの接着素材及び被接着素材の指定に基づいて、前記接着剤種別データから適切な種別の接着剤の商品情報を選定し、該携帯端末の画面上に表示することにより、前記商品陳列棚に陳列されている接着剤パッケージ群から接着素材及び被接着素材に適した接着適性・特性を有する接着剤の商品情報を携帯端末に提供（送信）するようにしたことを特徴とする。
【０００７】
前記商品陳列棚には、前記携帯端末からの前記サーバへの接続を容易にするための２次元コードを付記してなることが好ましい。２次元コードとしてはＱＲコード（登録商標）であることが好適である。
【０００８】
前記各種の接着素材及び被接着素材としては夫々、紙、布、皮革、ゴム、木材、軟質塩化ビニール、発泡スチロール、ガラス、陶磁器、タイル、石材、コンクリート及び／又は金属であることが好ましい。
【発明の効果】
【０００９】
本発明によれば、多種多様な種類の接着剤の中から、所望の接着素材及び被接着素材に適した接着適性・特性を有する接着剤の商品情報を販売店内で簡易且つ容易に提供すると共に、一般需要者が間違いなく適切な接着剤を選択し購入できるようにするための通信ネットワークを介した接着剤種別選定システムを提供することができるという大きな効果を奏する。
【発明を実施するための最良の形態】
【００１０】
以下に本発明の実施の形態を添付図面に基づいて説明するが、図示例は例示的に示されたもので、本発明の技術思想から逸脱しない限り種々の変形が可能なことはいうまでもない。
【００１１】
図１は、本発明の通信ネットワークを介した接着剤種別選定システムの全体的基本構成を示す概念説明図である。図２は、本発明システムにおける携帯端末画面の基本的流れを示すフローチャートであり、（ａ）は概念図、（ｂ）は（ａ）の具体的表示例である。図３は、本発明システムにおける接着剤選定処理の流れを示すフローチャートである。図４は、図３のフローチャートの続きである。図５は、図４のフローチャートの続きである。図６は、各種の接着剤の接着素材及び被接着素材に対する接着適性・特性の関係を示す図表である。図７は、各種の接着剤の商品情報の一例を示す図表である。図中、符号２は本発明システム、符号４はサーバ、符号１０は販売店、符号２０は携帯端末、符号Ｎは通信ネットワークとしてのインターネットである。
【００１２】
図１は本発明の通信ネットワークを介した接着剤種別選定システムの全体的基本構成を示す概念説明図であり、本発明システム２は、接着剤種別データ６並びに接着剤選定処理手段８を備えるサーバ４と、サーバ４に対してインターネットＮを介して接続可能な携帯端末２０と、接着剤種別データ６に対応する接着剤パッケージ群が陳列されている商品陳列棚１２とから構成される。
【００１３】
図１において、サーバ４はいわゆるウェブサーバ用コンピュータであり、特に図示しないが、制御装置・演算装置（ＣＰＵ）、主記憶装置（メモリ）、補助記憶装置（ハードディスク等）、入力装置（キーボード、マウス等）、出力装置（モニタ、プリンタ等）、ＮＩＣ（Network Interface Card）やルータ等の通信機器等を備え、ＡＤＳＬや光ファイバ等の通信回線を介してインターネットＮに接続され、ＨＴＴＰ（HyperText Transfer Protocol）等によりインターネット上にウェブページを公開する機能を有している。また、サーバ４の補助記憶装置（ハードディスク等）には、接着剤種別データ６、ソフトウェアである接着剤選定処理手段８が記憶されている。
【００１４】
本発明システムにおいて、各ウェブページは、ＨＴＭＬ（HyperText Markup Language）、ＣＨＴＭＬ(Compact HTML)、ＨＤＭＬ（Handheld Device Markup Language）、ＸＭＬ（eXtensible Markup Language）、ＸＨＴＭＬ（eXtensible HyperText Markup Language）等によって構成すればよく、特にウェブページ記述言語の種類の限定はされない。また、接着剤選定処理手段８は、ＰＨＰ（Personal Home Page）、ＣＧＩ（Common Gateway Interface）又はＪａｖａ等によって構成すればよく、特にスクリプト言語やプログラミング言語の種類には限定されない。
【００１５】
本発明システムにおける携帯端末２０としては、一般需要者が容易に携帯可能で且つインターネットＮに接続してウェブページを閲覧することが可能（サーバ４との間でＨＴＴＰ等によりデータの送受信が可能）であれば特に制限されず、ＰＤＡ（Personal Digital assistants）等の携帯端末であってもよいが、利便性や普及率等からウェブ閲覧機能付きの携帯電話であることが最も効果的且つ有用な態様である。
【００１６】
接着剤の販売店１０の店内には、接着剤の商品陳列棚１２に本発明システム２に対応していることを明示したコーナーを設ける。当該コーナーは、単数又は複数の商品陳列棚１２全体であってもよいし、商品陳列棚１２の一区画であってもよく、要は一定の接着剤パッケージ群につき本発明システム２に対応していることが明示されていればよい。例えば、図１に示したように、本発明システム２に対応していることを明記した広告看板１４を商品陳列棚１２に設けたり、それぞれの接着剤パッケージ１８に対応して商品札１６を吊設し、商品名等と共に本発明システム２に対応していることを明記してもよい。
【００１７】
商品陳列棚１２の広告看板１４には、携帯端末２０からのサーバ４へのインターネットを介したアクセスを容易にするための２次元コード１５を付記してなることが好ましい。即ち、サーバ４のインターネット上の所在地（ＵＲＬ：Uniform Resource Locator）を２次元コード化し、商品陳列棚１２の広告看板１４の一部に２次元コード１５を付記するものである。２次元コードとしてはＱＲコード（登録商標）であることが好適である。ＱＲコード（登録商標）は、ＪＩＳ−Ｘ０５１０、ＩＳＯ／ＩＥＣ１８００４、ＪＥＩＤＡ−５５等の規格に従って常法により作成すればよい。これにより、２次元コード１５の読み取りに対応した携帯端末２０であれば、容易にサーバ４にアクセス可能となり、利便性の高いものとなる。なお、２次元コード１５の読み取りに対応していない携帯端末２０のために、サーバ４のＵＲＬをテキスト（普通文字）で表したもの（例えば、http://www.xxxxx.co.jp/等）を併記してもよいことは勿論である。
【００１８】
本発明システム２に対応していることを明示したコーナーの商品陳列棚１２に陳列された接着剤パッケージ１８の商品群、サーバ４に記憶された接着剤種別データ６に対応していることが必要である。即ち、各々の接着剤パッケージ１８の商品情報が接着剤種別データ６に記載されていることが必要である。
【００１９】
接着剤種別データ６は、少なくとも接着素材及び被接着素材に応じた接着適性を各種接着剤の商品情報として有するものであり、例えば、図６に示した如く、接着素材（Ａ欄の素材）及び被接着素材（Ｂ欄の素材）に対する各接着剤の接着適性を少なくとも商品情報としてデータ化したものであり、また、各接着剤については、図７に示した如く、接着剤毎の用途や特徴の他、耐水性、耐熱性、耐久性及び硬化後の色調等の各種特性等を詳細な商品情報としてデータ化してなることが望ましい。なお、図示例では説明の都合上、接着剤Ａ〜接着剤Ｔの合計２０種類の接着剤の場合を説明しているが、これ以上の種類数の接着剤の場合でも同様である。また、接着剤種別データ６はＳＱＬ（Structured Query Language）等を用いて常法によりデータベース化したものでもよい。
【００２０】
次に、図２は本発明システムにおける携帯端末画面の基本的流れを示すフローチャートであり、（ａ）は概念図、（ｂ）は（ａ）の具体的表示例であり、図３は本発明システムにおける接着剤選定処理の流れを示すフローチャート、図４は図３のフローチャートの続き、図５は図４のフローチャートの続きである。
【００２１】
まず、前述したようにユーザが携帯端末２０を用いて、商品陳列棚１２に付記された２次元コード１５の読み取り、インターネットＮを介してサーバ４にアクセスすると、トップページ１００，１００ａが表示される（図２及び図３参照）。トップページ１００，１００ａには、ウェブサイトの簡単な紹介文を記載し、接着素材選択ページ１２０，１２０ａへのリンク１０２と、注意書ページ１１０へのリンク１０４とが設けられている（図２及び図３参照）。注意書ページ１１０，１１０ａは、使用上の注意事項や免責事項等を必要に応じて記載したページであり、接着素材選択ページ１２０，１２０ａへのリンク１１２が設けられている（図２及び図３参照）。
【００２２】
接着素材選択ページ１２０，１２０ａは、ユーザが所望の接着素材及び被接着素材を指定して、当該接着素材及び被接着素材に適した接着剤の商品情報を選定するようにサーバ４に対して指示するためのウェブページであり（図２、図３及び図４参照）、使用方法の簡単な説明文を記載し、いわゆるプルダウンメニュー形式で接着素材及び被接着素材を選択できるように、Ａ欄１２２とＢ欄１２４とが設けられている（図２、図３及び図４参照）。Ａ欄１２２及びＢ欄１２４には夫々、接着素材及び被接着素材として、紙、布、皮革、ゴム、木材、軟質塩化ビニール、発泡スチロール、ガラス、陶磁器、タイル、石材、コンクリート及び／又は金属などの選択肢を設ける（図３及び図４参照）。また、接着素材又は被接着素材としてその他が指定された場合は、エラーページ２００を表示し、製造メーカーへの問い合わせ等を促すようにすればよい。なお、図示例ではプルダウンメニュー形式で接着素材及び被接着素材を指定する場合の例を示したが、ユーザが任意に接着素材及び被接着素材を指定可能であればラジオボタン形式やその他の形式であってもよい。
【００２３】
接着素材選択ページ１２０，１２０ａには、ユーザによる接着素材及び被接着素材の指定を確定する決定ボタンとしての接着剤選定結果ページ１３０，１３０ａへのリンク１２６と、必要に応じてトップページ１００，１００ａへ戻るためのリンク１０４とが設けられている（図２、図３及び図４参照）。
【００２４】
接着剤選定結果ページ１３０，１３０ａは、前記接着素材選択ページ１２０，１２０ａにおけるユーザによる接着素材（Ａ欄１２２の素材）及び被接着素材（Ｂ欄１２４の素材）の指定に基づいて、サーバ４における接着剤選定処理手段８によって接着剤種別データ６から当該接着素材及び被接着素材に適した接着剤を選定した結果を表示するページである。即ち、図６に示した如くの各種の接着剤の接着素材及び被接着素材に対する接着適性・特性の関係に基づいて、ユーザが指定した接着素材及び被接着素材の場合の適切な接着剤を選定し表示するものであり、換言すれば、接着剤選定処理手段８が接着剤種別データ６から接着素材（Ａ欄１２２の素材）に適し且つ被接着素材（Ｂ欄１２４の素材）にも適した関係（論理積の関係）にある接着剤を選定し表示するものである。
【００２５】
また、接着剤選定結果ページ１３０，１３０ａには、当該接着素材及び被接着素材に適した接着剤が複数種類（例えば３種類）存在する場合、次の推奨品である第二の接着剤選定結果ページ１３０’へのリンク１３４が設けられる（図２及び図５参照）。第二の接着剤選定結果ページ１３０’には、さらに次の推奨品である第三の接着剤選定結果ページ１３０”へのリンク１３４’が設けられる（図５参照）。第三の接着剤選定結果ページ１３０”まで進むと、次の推奨品はないので次の推奨品へのリンクもない（図５参照）。図５の例は当該接着素材及び被接着素材に適した接着剤が３種類ある場合であるが、４種類・５種類・６種類ある場合でも同様の要領で第四・第五・第六の接着剤選定結果ページを設ければよい。また、推奨品が複数種類ある場合に表示する優先順位は、適性順でもよいし、売れ筋順などでもよい。
【００２６】
接着剤選定結果ページ１３０，１３０ａには、必要に応じて接着素材選択ページ１２０，１２０ａへのリンク１３６と、トップページ１００，１００ａへ戻るためのリンク１３８とが設けられている（図２及び図５参照）。第二の接着剤選定結果ページ１３０’及び第三の接着剤選定結果ページ１３０”にも同様に、必要に応じて接着素材選択ページ１２０へのリンク１３６’，１３６”と、トップページ１００へ戻るためのリンク１３８’，１３８”とが設けられている（図５参照）。
【００２７】
商品詳細ページ１４０，１４０ａは、接着剤選定結果ページ１３０，１３０ａで表示された推奨品である接着剤の詳細な商品情報を表示するウェブページであり（図２及び図５）、商品名の他、当該接着剤パッケージの画像、用途、特徴、耐水性、耐熱性、耐久性及び硬化後の色調等の各種特性等（図２及び図７参照）を表示し、また、接着剤選定結果ページ１３０，１３０ａに戻るためのリンク１４２を設ける。第二の接着剤選定結果ページ１３０’及び第三の接着剤選定結果ページ１３０”に対する第二・第三の商品詳細ページ１４０’，１４０”についても同様である（図５参照）。
【００２８】
このようにして、本発明システム２によれば、多種多様な種類の接着剤の中から、所望の接着素材及び被接着素材に適した接着適性・特性を有する接着剤の商品情報を販売店内で簡易且つ容易に提供すると共に、一般需要者が間違いなく適切な接着剤を選択し購入できるようにするための通信ネットワークを介した接着剤種別選定システムを提供することができる。
【図面の簡単な説明】
【００２９】
【図１】本発明の通信ネットワークを介した接着剤種別選定システムの全体的基本構成を示す概念説明図である。
【図２】本発明システムにおける携帯端末画面の基本的流れを示すフローチャートであり、（ａ）は概念図、（ｂ）は（ａ）の具体的表示例である。
【図３】本発明システムにおける接着剤選定処理の流れを示すフローチャートである。
【図４】図３のフローチャートの続きである。
【図５】図４のフローチャートの続きである。
【図６】各種の接着剤の接着素材及び被接着素材に対する接着適性・特性の関係を示す図表である。
【図７】各種の接着剤の商品情報の一例を示す図表である。
【符号の説明】
【００３０】
２：本発明システム、４：サーバ、６：接着剤種別データ、８：接着剤選定処理手段、１０：販売店、１２：商品陳列棚、１４：広告看板、１５：２次元コード、１６：商品札、１８：接着剤パッケージ、２０：携帯端末、１００，１００ａ：トップページ、１１０，１１０ａ：注意書ページ、１２０，１２０ａ：接着素材選択ページ、１２２：プルダウンメニューＡ欄、１２４：プルダウンメニューＢ欄、１３０，１３０ａ：接着剤選定結果ページ、１４０，１４０ａ：商品詳細ページ、２００：エラーページ、Ｎ：インターネット。
【図１】
2007052745.tif 000003
【図２】
2007052745.tif 000004
【図３】
2007052745.tif 000005
【図４】
2007052745.tif 000006
【図５】
2007052745.tif 000007
【図６】
2007052745.tif 000008
【図７】
2007052745.tif 000009